(57)【要約】【課題】空間を節約し、雑音を小さくし、效率を高め、コストを低くするという長所を有する反射式サウンドボックスの構造を提供する。【解決手段】一つのボックスおよび一つのスピーカーを包括し、当該ボックスは一つの上外側、一つの相対するバインド上外側の下外側、および一つの上外側および下外側が共同で組成する音室を包括しており、音室は一つの上外側から内に向って伸びる反射導管、および一つの下外がわから内に向って伸びるサウンド・カップを有する。サウンド・カップは反射導管の外環側を覆うように設けられ、かつサウンド・カップおよび反射導管は一定の距離を保っている。スピーカーは外に向って口をあけ、ボックス内に設けられており、これを以って音声を発する。サウンド・カップと反射導管および上外側バインド下外がわの設計は、速やかに上外側および下外側を結合させる。【選択図】図１
0003137073.tif 000002
【実用新案登録請求の範囲】
【請求項１】
一つのボックスおよび一つのスピーカーを包括し、その中:
当該ボックスには、一つの上外がわ、一つの相対して組成される上外がわの下外がわ、および一つの上外がわおよび下外がわが共同で組成する音室が包括され、当該音室は一つの上外がわから内に向って伸びる反射導管、および一つの下外がわから内に向って伸びるサウンド・カップを有し、当該サウンド・カップは反射導管外環側に覆うように設けられ、サウンド・カップおよび反射導管は一定の距離を保っていることを特徴とする反射式サウンドボックスの構造。
【請求項２】
前記上外がわは、相対するバインド下外がわとなることを特徴とする請求項１に記載の反射式サウンドボックスの構造。
【考案の詳細な説明】
【技術分野】
【０００１】
本考案は、一種の反射式サウンドボックスの構造に関係するもので、特にサウンド・カップと反射導管および上の外がわで下の外がわをバインドする設計を以って、空間節約、雑音低下、效率向上およびコスト低減の長所を持つものを指す。
【背景技術】
【０００２】
一般に広く用いられている反射式サウンドボックスは、いずれも一つのボックス、一つのボックスに設けられ音声を生み出すことに使用される共振膜、および一つのサウンドボックス上の反射孔を有しており、ボックス上に設けられた反射孔を利用する方式で、共振膜を運動させる時、ボックス内部の空気を圧縮して生み出し背後から繰り出す低音の低量感を向上させ、反射式サウンドボックスを良好な共振效果を持つサウンドボックスとしている。しかも、反射式サウンドボックスの長所は、密閉式サウンドボックスに比べて2~3dB上回る效率を備えており、本身の效率を向上させ、基本的に反射式は明らかに低周波の量感が高くなっている。
【０００３】
ただし、前述の反射式サウンドボックスのボックスサイズと反射孔の大小、位置および形状は、いずれもシステムの低周波の変数に影響するため、反射式サウンドボックスの設計を制御することは一般市場で見られる密閉式サウンドボックスよりも複雑で、難度も相対的に高い。
【０００４】
しかし、広く用いられている反射式サウンドボックスは、いずれも反射孔の設計しかなく、共振の效果は限られており、反射孔の設計が良くない時は、サウンドボックスの全体效率および音響のいずれにも重大な影響を来たす。このため、いかにして空間を節約し、雑音が小さく、效率が高く、コストの低い反射式サウンドボックスを開発するかは、広大なユーザーの期待するところでもあった。
【考案の開示】
【考案が解決しようとする課題】
【０００５】
以上で述べた広く知られた技術の欠点に鑑み、本考案の主な目的は一種の空間を節約し、雑音が小さく、效率が高く、およびコストの低の反射式サウンドボックスの構造を提供することにある。
【課題を解決するための手段】
【０００６】
以上の目的およびその他の目的を達するため、本考案は一種の反射式サウンドボックスの構造を提供し、これには一つのボックスおよび一つのスピーカーが包括される。その中の:
当該ボックスには、一つの上外がわ、一つの相対するバインド上外がわの下外がわ、および一つの上から外がわおよび下外がわで共同組成する音室を包括しており、当該の音室は一つの上外がわから内に向って伸びる反射導管、および一つの下外がわから内に向って伸びるサウンド・カップがあり、当該サウンド・カップは反射導管の外環側を覆うように設けられ、またサウンド・カップおよび反射導管は一定の距離を有している。
【考案の効果】
【０００７】
当該スピーカーは、口が向に向って開いており、ボックス内に設置され、これによって音声を出す。
サウンド・カップと反射導管および上外がわバインド下外がわの設計によって、速やかに上外がわおよび下外がわを結合させることができ、しかも空間を節約、雑音を小さく、效率を高め、およびコストを低くする長所を備えている。
【考案を実施するための最良の形態】
【０００８】
本考案で採用する技術、手段およびその達成する効果については、ここに挙げた比較的優れた実施例に図式の詳細な説明を合わせた後、より深く具体的にご理解いただけるものと確信する。
【０００９】
図１で示したものを参照されたし。本考案の反射式サウンドボックスの構造は、一つのボックス1および一つのスピーカー2を包括する。その中:
当該ボックス1は、一つの上外がわ11、一つの相対して組成され上外がわ11に接する下外がわ12、および一つの上外がわ11および下外がわ12が共同で組成する音室13を包括しており、当該上外がわ11には一つの穿孔111が設けられている。また音室13は、上外がわ11から内に向って伸びた反射導管131、および一つの下外がわ12から内に向って伸びたサウンド・カップ132を有しており、当該サウンド・カップ132は反射導管131外環側を覆って設けられ、またサウンド・カップ132および反射導管131は一定の距離を保持している。および
当該スピーカー2は、外に向って開いたボックス1の穿孔111内に設けられ、これによって音声を発している。
【００１０】
上述のコンポーネントの使用状態については、図２から図３で示したところを参照されたし。その中、当スピーカー2が音響を発する時、大部分の音声信号はスピーカー2の口から送られ、少数の声圧は在ボックス1中に残って共振效果を生む。またボックス1内部の空気圧縮で、音波をサウンド・カップ132に当たらせ、サウンド・カップ132の空間にエコーが共鳴する效果を生む。また発声の強度を向上させ、比較的優れた音声周波を得るとともに、当該の音声周波はサウンド・カップ132カップの底流から反射導管131の中を経て送られ、反射導管131に沿ってもう一方に開いた穴から放射状に外に向って発せられ、音声信号を寄り重厚なものとする。
【００１１】
このほかに、上述の実施例で、当該音室13の反射導管131およびサウンド・カップ132の形状はそれぞれU型およびW型(図２)のようで、当然反射導管131も図４のような双U型にでき、あるいは反射導管131およびサウンド・カップ132についても図５のダブルU型およびマルチU型にでき、多重な反射導管131およびサウンド・カップ132でボックス1中の全体效率および音色をさらによくできる。
【００１２】
さらに、上外がわ11はバインドの方式と下外がわ12を通じて連結しており(図１)、ロック方式での連接は不要であるため、発せられる音声はクリアである。
【図面の簡単な説明】
【００１３】
【図１】本考案の断面図
【図２】本考案の反射導管およびサウンド・カップの外観立体図
【図３】本考案の実施状態の意匠図
【図４】本考案のもう一つの形態の反射導管およびサウンド・カップの断面図
【図５】本考案のまた一つの形態の反射導管およびサウンド・カップの断面図
【符号の説明】
【００１４】
1      ボックス
11     上外がわ
111    穿孔
12     下の外がわ
13     音室
131    反射導管
132    サウンド・カップ
2      スピーカー
【図１】
0003137073.tif 000003
【図２】
0003137073.tif 000004
【図３】
0003137073.tif 000005
【図４】
0003137073.tif 000006
【図５】
0003137073.tif 000007
【手続補正書】
【提出日】平成19年9月6日(2007.9.6)
【手続補正１】
【補正対象書類名】実用新案登録請求の範囲
【補正対象項目名】請求項１
【補正方法】変更
【補正の内容】
【請求項１】
一つのボックスおよび一つのスピーカーを包括し、当該ボックスには、一つの上外がわ、前記上外がわに相対して組成される下外がわ、および
前記上外がわおよび前記下外がわで形成される音室が包括され、当該音室は一つの上外がわから内に向って伸びる反射導管、および一つの下外がわから内に向って伸びるサウンド・カップを有し、当該サウンド・カップは反射導管外環側に覆うように設けられ、サウンド・カップおよび反射導管は一定の距離を保っていることを特徴とする反射式サウンドボックスの構造。
【手続補正２】
【補正対象書類名】実用新案登録請求の範囲
【補正対象項目名】請求項２
【補正方法】変更
【補正の内容】
【請求項２】
前記上外がわは、相対する前記下外がわをバインドすることを特徴とする請求項１に記載の反射式サウンドボックスの構造。
【手続補正３】
【補正対象書類名】明細書
【補正対象項目名】０００６
【補正方法】変更
【補正の内容】
【０００６】
以上の目的およびその他の目的を達するため、本考案は一種の反射式サウンドボックスの構造を提供し、これには一つのボックスおよび一つのスピーカーが包括される。当該ボックスには、一つの上外がわ、この上外がわでバインドされた一つの相対する下外がわ、および上外がわおよび下外がわで共同組成する音室を包括しており、当該の音室は一つの上外がわから内に向って伸びる反射導管、および一つの下外がわから内に向って伸びるサウンド・カップがあり、当該サウンド・カップは反射導管の外環側を覆うように設けられ、またサウンド・カップおよび反射導管は一定の距離を有している。
【手続補正４】
【補正対象書類名】明細書
【補正対象項目名】０００７
【補正方法】変更
【補正の内容】
【０００７】
当該スピーカーは、口が向に向って開いており、ボックス内に設置され、これによって音声を出す。
サウンド・カップと反射導管および上外がわと下外がわの設計によって、速やかに上外がわおよび下外がわを結合させることができ、しかも空間を節約、雑音を小さく、效率を高め、およびコストを低くする長所を備えている。
【手続補正５】
【補正対象書類名】明細書
【補正対象項目名】００１２
【補正方法】変更
【補正の内容】
【００１２】
さらに、上外がわ11は、下外がわ12に連結しており(図１)、ロック方式での連接は不要であるため、発せられる音声はクリアである。